(57)【要約】【課題】  従来の集音器は、開口部から入った音声が内部で共鳴して大きく拡大される一方で必要以上の高い音を吸収し、低い共鳴周波数の音声を抽出する構成であるために、使用者が聴き難い。【解決手段】  第１及び第２開口部を有し、内部が中空なハウジングによって形成されて、前記第１開口部を介して周囲からの音声を集める集音室と、前記ハウジング内部を、前記第２開口部を塞ぐように仕切る隔壁と、前記第２開口部によって係止部が形成されてなる共鳴室と、を備えてなり、前記隔壁には、複数個の連通孔が穿設されて設けられ、前記共鳴室において、前記共鳴室の空間容積と、前記連結孔の空間容積によって決まる共鳴周波数成分を前記集音室に集音される音声から抽出するものである。【選択図】図２
2017161878.tif 000002
【特許請求の範囲】
【請求項１】
第１及び第２開口部を有し、内部が中空なハウジングによって形成されて、前記第１開口部を介して周囲からの音声を集める集音室と、
前記ハウジング内部を、前記第２開口部を塞ぐように仕切る隔壁と、
前記第２開口部によって係止手段が形成されてなる共鳴室と、
を備えてなり、
前記隔壁には、複数個の連通孔が穿設されて設けられ、
前記共鳴室において、前記共鳴室の空間の容積と、前記連結孔の面積によって決まる共鳴周波数成分を前記集音室に集音される音声から抽出することを特徴とする集音器。
【請求項２】
前記複数個の連通孔は、それぞれ内径が異なり、かつ前記第１開口部から奥に向けて内径が大きくなるように配置されなることを特徴とする請求項１記載の集音器。
【請求項３】
前記複数個の連通孔は、それぞれ異なる内径を有し、小さい内径の連通孔を前記隔壁の辺縁近傍に配置し、かつ大きい内径の連通孔を中央部を中心にした対象位置に配置したことを特徴とする請求項１記載の集音器
【発明の詳細な説明】
【発明の詳細な説明】
【技術分野】
【０００１】  本発明は、老人等の聴力が衰えた人に利用される集音器に関するもので、特に電気を用いないものである。
【背景技術】
【０００２】  従来、この種のものとしては、例えば特許文献１に示されるようなものがある。すなわち、集音器の本体を耳介にかけて使用するものである。そのために集音器を耳の後方から耳の上部を囲むようにＣ字形状の係止部を設けると共に、前方から音声を導入するための開口部を設けている。さらに音を大きくするために共鳴室を設けている。そして、この集音器を軟質樹脂で一体成型している。それによって、集音器の開口部から入った音声は共鳴室で共鳴し、大きく拡声される。【０００３】
【先行技術文献】
【特許文献】
【０００４】
【特許文献１】特開２０１１−２５３１７０号公報
【発明の概要】
【発明が解決しようとする課題】
【０００５】  以上に述べた従来の集音器にあっては、その開口部から入った音声は内部で共鳴して大きく拡大され、必要以上の高い音を吸収し、低い共鳴周波数の音声を抽出する構成であるために、使用者が聴き難いと言う問題点があった。【０００６】  そこで、本発明は、１０００ｈｚ〜２０００ｈｚの範囲の高い音声の周波数特性を改善した集音器を提供することを目的とするのである。
【課題を解決するための手段】
【０００７】  そして本発明は、前記目的を達成するためになされたもので、第１及び第２開口部を有し、内部が中空なハウジングによって形成されて、前記第１開口部を介して周囲からの音声を集める集音室と、前記ハウジング内部を、前記第２開口部を塞ぐように仕切る隔壁と、前記第２開口部によって係止手段が形成されてなる共鳴室と、を備えてなり、前記隔壁には、複数個の連通孔が穿設されて設けられ、前記共鳴室において、前記共鳴室の空間の容積と、前記連結孔の空間の面積によって決まる共鳴周波数成分を前記集音室に集音される音声から抽出するものである。【０００８】  また、第２の課題解決手段は、前記複数個の連通孔が、それぞれ内径が異なり、かつ前記第１開口部から奥に向けて内径が大きくなるように配置されなることものである。【０００９】  また、第３の課題解決手段は、前記複数個の連通孔が、それぞれ異なる内径を有し、小さい内径の連通孔を前記隔壁の辺縁近傍に配置し、かつ大きい内径の連通孔を中央部を中心にした対象位置に配置したものである。【００１０】  前記第１の課題解決手段による作用は、次の通りである。すなわち、集音器は、第１及び第２開口部を有し、内部が中空なハウジングによって形成されている。そのハウジングは、第１開口部を介して周囲からの音声を集める集音室と、ハウジング内部を、第２開口部を塞ぐように仕切る隔壁と、第２開口部によって係止手段が形成されてなる共鳴室とを備えている。また隔壁には、複数個の連通孔が穿設されて設けられている。そして、共鳴室において、共鳴室の空間容積と、連通孔の空間容積によって決まる高域までの広範囲の共鳴周波数成分を集音室に集音される音声から抽出可能にする。【００１１】  また、第２の課題解決手段による作用は、複数個の連通孔が、それぞれ内径が異なり、かつ第１開口部から奥に向けて内径が大きくなるように配置されて共鳴周波数が異なり、高域までの広範囲の共鳴周波数成分を抽出可能にする。【００１２】  また、第３の課題解決手段による作用は、それぞれ異なる内径を有する複数の連通孔の位置が、前記隔壁の辺縁近傍に、かつ中央部を中心にした対象位置に配置されるので、共鳴周波数をずらせ、広い範囲の共鳴周波数を抽出できる。
【発明の効果】
【００１３】  上述したように本発明の集音器は、共鳴室の空間容積と、連通孔の空間容積とによって決まる高域までの広範囲の共鳴周波数成分を集音される音から抽出可能にする。【００１４】  また、異なる内径の複数個の連通孔が、第１開口部から奥に向けて内径が大きくなるように配置され、低域から高域までの広範囲の共鳴周波数成分を抽出可能にする。【００１５】  また、連通孔間の距離を大きくして配置することによって、共鳴周波数をずらすことが容易になる。【００１６】
【図面の簡単な説明】
【００１７】
【図１】  本発明の実施例を説明するための集音器を斜め後方から見た斜視図である。
【図２】  図１の集音器をＡ方向から見た斜視図である。
【図３】  図２に示す集音器のＸＹ断面説明図である。
【図４】  図２に示す集音器の分解組立図である。
【図５】  本発明の実施例を説明するための共鳴周波数の特性を示す説明図である。
【発明を実施するための形態】
【００１８】    以下、本発明の実施の形態を図１〜図５に基づいて構成と動作の説明をする。
【００１９】  図において、１は内部が中空のハウジングで、アッパハウジング２、ロアハウジング３とからなり、その内部は隔壁４によって仕切られている。そして、前記アッパハウジング２と前記ロアハウジング３の辺縁部には不図示の嵌合手段が設けられている。また、前記ハウジング１の側面には切欠き部（第１開口部）１ａがあり、その切欠き部１ａと前記ロアハウジング３の辺縁とによって集音用の窓（第１開口部）１ｂが形成されている。また、前記ロアハウジング３には、集音器使用時に耳介が通る大径の孔（第２開口部）３ａが設けられている。
【００２０】  ４は前述の隔壁で、前記ハウジング１の内部を仕切るために設けられたもので、その辺縁が前記ロアハウジング３の孔３ａを塞ぐように水密的に接着されることによって空間Ｓを形成している。
【００２１】  そしてこの空間Ｓは、前記隔壁４に穿設された径の異なる複数の連通孔４ｂ、４ｃと協働してヘルムホルツ共鳴空間を形成し、このヘルムホルツ共鳴によって抽出される共鳴周波数は、ハウジング１内に耳介が入る時の空間Ｓの容積Ｖ、複数の連通孔４ｂ、４ｃの空間の面積等によって決められる。
【００２２】  なお、前記ハウジング１の窓（第１開口部）１ｂに近い隔壁４の辺縁部に小径の連通孔４ｂを設けることによって図５（Ａ）に示す共鳴周波数特性が得られ、また第１開口部１ｂから遠く離れた奥の位置に大径の連通孔４ｃを設けることによって図５（Ｂ）に示す共鳴周波数特性が得られる。このように複数の連通孔４ｂ、４ｃ間の距離を最大限に設定したので、ヘルムホルツ共鳴時に大径の連結孔４ｂと小径の連結孔４ｃとが別々の孔として機能する。
【００２３】  その結果、２つの連結孔４ｂ、４ｃが互いに影響し合うことがなくなり、
▲１▼ハウジング１内に耳介が入る時の空間Ｖの容積Ｓと大径の連通孔４ｂの面積（孔の部分の面積）によって決まるヘルムホルツ共鳴周波数の周波数特性が得られ（図５（Ａ）参照）、１０００Ｈｚ以下の周波数数成分が主に抽出される。
【００２４】  ▲２▼また、ハウジング１内に耳介が入る時の空間Ｖの容積Ｓと小径の連通孔４ｃの面積（孔の部分の面積）とによって決まるヘルムホルツ共鳴周波数の周波数特性が得られ（図５（Ｂ）参照）、１０００Ｈｚ〜２０００Ｈｚまでの周波数成分が抽出される。
共鳴室の中でこの異なる二種類のヘルムホルツ共鳴が同時に発生するために、図５（Ｃ）に示すように前記▲１▼で説明した空間の容積Ｖと大径の連通孔４ｂの面積によって決まるヘルムホルツ共鳴周波数の１０００Ｈｚより高い領域の周波数特性が改善され（図５（Ａ）参照に対し）、聞きやすくなる。
【符号の説明】
【００２５】１  ハウジング    １ａ  切欠き部（第１開口部）    １ｂ  窓（第１開口部）
２  アッパハウジング    ３  ロアハウジング    ３ａ  孔（第２開口部）
４  隔壁    ４ｂ、４ｃ  連通孔
【図１】
2017161878.tif 000003
【図２】
2017161878.tif 000004
【図３】
2017161878.tif 000005
【図４】
2017161878.tif 000006
【図５】
2017161878.tif 000007